(57)【要約】【課題】    高齢者、認知症患者の車両乗車時における車内での体の楽な体制を維持でき、かつ支えることができ、安心感が得られる車両用商品を提供すること。【解決手段】    シートベルトカバーに固定手段を用いてグリップを固定し体の一番近い車両用部品のより近くを持つことができるようにした。【選択図】図５
2008296893.tif 000002
【特許請求の範囲】
【請求項１】
シートベルトの任意部位に対して、固定手段を用いて、グリップ付シートベルトカバーを着脱可能にしてなるグリップの付いたシートベルトカバー。
【請求項２】
シートベルトの任意部位に対して、固定手段を用いて、グリップ、抱き枕付きシートベルトカバーを着脱可能にしてなるグリップの付いたシートベルトカバー。
【請求項３】
シートベルトの任意部位に対して、固定手段を用いて、グリップ、ひざ掛け付シートベルトカバーを着脱可能にしてなるグリップの付いたシートベルトカバー。
【発明の詳細な説明】
【発明の詳細な説明】
【技術分野】
【０００１】この発明は，急速に進む高齢化社会において高齢者、認知症患者が乗車時に安心、快適感を得られるグリップの付いたシートベルト用カバーに関するものである。
【背景技術】
【０００２】自動車の内部は、高齢者、認知症患者の安心感、快適度を主目的として設計されておらず、高齢者、認知症患者の乗車時の安心感、快適度まではあまり考慮されていなかった。【０００３】特にデイサービス等に使用されている９人乗り送迎車の場合３人掛シートの真ん中に乗車した場合、手の置き場に困るものである。若い人でもタクシー等後部座席の３人掛けシートの真ん中に乗車した場合カーブ等で体の保持に困るものである。【０００４】また，デイサービス等送迎を受ける高齢者、認知症患者は送迎を受けるさい、高齢、認知症の不安感の為か、体保持の為か何かを持ちたがる行動が多く見受けられる。ところが送迎車両内には、一般車両のようにドア上部やドアグリップ等、手で持つところが無くシートベルトや前席背もたれを持つ人が多い。シートベルトを持つ場合は、胸の前のベルトや肩のあたりのベルトを持ちやすい。この場合腕が体に密着して体とシートベルトが密着していればよいが、往々にして腕が体より離れ、体とシートベルトの間が空き、万一交通事故に会った場合非常に危険である。また、前席背もたれを持った場合体が前のめりの状態で，前席背もたれに手をかけているので、これも万一交通事故に会った場合非常に危険である。【０００５】一般乗用車の場合、ドア上部にグリップ、ドアにドアグリップがあるが、若い人に比べ高齢で健康が万全でない高齢者、認知症患者にとってドア上部のグリップは、座席位置、体形によっては無理な姿勢、体の負担が大きく万全とはいえない。また、ドアグリップも座席位置、体形によっては，無理な姿勢、体の負担が大きくこれも万全とはいえない。
【発明が解決しようとする課題】
【０００６】前述の通り車両車内には、ドアグリップ、ドア上部にグリップが装備されている車両もあるが、ドアグリップ、ドア上部グリップだけでは体から離れた所に手、腕の位置があり、車内グリップを持つ場合、体形により座席シートから体が離れていた。また、高齢者、認知症患者は特に体に近いシートベルトを持つ場合が多く、この場合、体とシートベルトが離れる場合があり、万一交通事故に遭った場合、体とシートベルトが離れていて非常に危険である。また、認知症患者は，まれにドア開閉ノブに手をかけ運転者が慌てる場合が有る。この場合も非常に危険である。
【０００７】また、前述の通り３人掛シートの真ん中に乗車した場合、若い人でも乗車時手のやり場に困るものである。
【課題を解決する為の手段】
【０００８】前記所期の課題解決のために、本発明は体に一番近い車両の部品であるシートベルトの任意部位に対して、固定手段を用いてグリップ付きシートベルトカバーを着脱可能にした。したがって、例えばお腹部のシートベルトにグリップ付きシートベルトカバーを装着すれば、自然体で楽な姿勢でお腹の前のグリップを握ることが出来る。また、肩からのシートベルトに装着すれば、グリップが付いているので体とシートベルトの間があくことなく胸の前でグリップを持つことが出来る。高齢者、認知症患者の危険、不安を除去し、より安心、快適感を得る為に考案することとした。
【０００９】ここでシートベルトにグリップ付きシートベルトカバーを装着する固定手段として、カバー内面及び外面の双方に固着した面ファスナーをはじめ、ボタン、ファスナーなど様々なものを用いうる。
【００１０】次に前記グリップ付きシートベルトカバーにおいて、ベルトカバーとグリップの間に抱き枕、ベルトカバーとグリップの間にひざ掛け等をはさみ、部位による専用品とする。
【発明を実施するための最良の形態】
【００１１】以下、図面に基づいて本安に係るグリップの付いたシートベルト用補助具に付いて詳細に説明する。図１はグリップ３の付いたシートベルトカバー２をシートベルト４に装着した斜視図である。この例に示される固定手段として、カバー内面及び外面の双方に固着した面ファスナー１をはじめ、また、前述のように面ファスナー１に代えてボタン、ファスナーなど様々なものを用いてもよい。【００１２】図２は、図１の例における表面から見た斜視図である。図示された面ファスナー１が固着された図である。面ファスナー１よりシートベルト４を挟み込み任意の位置にグリップ３の付いたシートベルトカバー２を固定することができる。【００１３】図４はグリップ３の付いたシートベルトカバー２を胸の前のシートベルト４に装着した斜視図である。図５はグリップ３の付いたシートベルトカバー２をお腹の前のシートベルト４に装着した斜視図である。このように体から近い位置にグリップ３が装着され、需要者側で任意に装着位置を選択可能にすることで、より安心、快適感を与える個別対応のグリップ付きシートベルトカバーを供給することができるようになったのである。【００１４】図９はグリップ３の付いたシートベルトカバー２とグリップ３の間に、抱き枕５を固定し胸の前のシートベルト２に装着した斜視図である。この場合は、抱き枕５により体への接合部分が大きくなるのと、抱き枕５のやわらかさにより不安感の強い認知症患者の安心感をより大きくするものである。シートベルトカバー２、グリップ３、抱き枕５の固定手段として、縫着、高周波溶着、ボタンなど様々な物や方法を用いる。【００１５】図１１はグリップ３の付いたシートベルトカバー２のシートベルトカバー２とグリップ３の間に、ひざ掛け６を固定し、お腹の前のシートベルト４に装着した斜視図である。この場合、温度変化に敏感でない高齢者、認知症患者の体温の変化を守ることが出来る。また、自然な姿勢でグリップ３を握ることができ、より安心、快適感を増すものである。固定手段として、縫着、高周波溶着、ボタンなど様々な物や方法を用いる。
【図面の簡単な説明】
【図１】グリップの付いたシートベルトカバーをシートベルトに装着時の斜視図である。
【図２】グリップの付いたシートベルトカバーの表面図である。
【図３】グリップの付いたシートベルトカバーの裏面図である。
【図４】グリップの付いたシートベルトカバーを胸の前のシートベルトに装着した斜視図である。
【図５】グリップの付いたシートベルトカバーをお腹の前のシートベルトに装着した斜視図である。
【図６】グリップの付いたシートベルトカバーのシートベルトカバーとグリップの間に抱き枕を固定した斜視図である
【図７】グリップの付いたシートベルトカバーのシートベルトカバーとグリップの間に抱き枕を固定した正面図である
【図８】グリップの付いたシートベルトカバーのシートベルトカバーとグリップの間に抱き枕を固定した裏面図である
【図９】グリップの付いたシートベルトカバーのシートベルトカバーとグリップの間に抱き枕を固定し胸の前のシートベルトに装着した斜視図である。
【図１０】グリップの付いたシートベルトカバーのシートベルトカバーとグリップの間にひざ掛けを固定した正面図である。
【図１１】グリップの付いたシートベルトカバーのシートベルトカバーとグリップの間にひざ掛けを固定した裏面図である。
【図１２】グリップの付いたシートベルトカバーのシートベルトカバーとグリップの間に、ひざ掛けを固定しお腹の前のシートベルトに装着した斜視図である。
【符号の説明】
１    面ファスナー  ２    シートベルトカバー  ３    グリップ  ４    シートベルト  ５    抱き枕  ６    ひざ掛け
【図１】
2008296893.tif 000003
【図２】
2008296893.tif 000004
【図３】
2008296893.tif 000005
【図４】
2008296893.tif 000006
【図５】
2008296893.tif 000007
【図６】
2008296893.tif 000008
【図７】
2008296893.tif 000009
【図８】
2008296893.tif 000010
【図９】
2008296893.tif 000011
【図１０】
2008296893.tif 000012
【図１１】
2008296893.tif 000013
【図１２】
2008296893.tif 000014